(57)【要約】【課題】身体を締付け過ぎることなく、効率よく腹圧を高めて、腰痛を緩和ないし予防できる腰用サポータを提供すること。【解決手段】全体が帯状であって、装着者の腹部周りに巻き付けられ、その両端部１４，１５どうしが着脱自在であるベルト体１２と、装着状態において、ベルト体１２の腹部に対応した位置を基端部３３，３３として両脇側に向けて引き延ばされる弾性部材であり、その先端部３０ａがベルト体１２に着脱自在である一対の弾性ベルト３０，３０と、を備え、基端部３３は、装着状態において、丹田に配置されるようになっており、一対の弾性ベルト３０，３０は、装着状態において、基端部３３から両脇側であって、かつ、斜め上方に、それぞれ引き延ばされるようになっている。【選択図】図３
2015139605.tif 000002
【特許請求の範囲】
【請求項１】
全体が帯状であって、装着者の腹部周りに巻き付けられ、その両端部どうしが着脱自在であるベルト体と、
前記巻き付けられた装着状態において、前記ベルト体の腹部に対応した位置を基端部として両脇側に向けて引き延ばされる弾性部材であり、その先端部が前記ベルト体に着脱自在である一対の弾性ベルトと、
を備え、
前記基端部は、前記装着状態において、丹田に配置されるようになっており、
前記一対の弾性ベルトの夫々は、前記装着状態において、前記基端部から近い脇側であって、かつ、斜め上方に、引き延ばされるようになっている
ことを特徴とする腰用サポータ。
【請求項２】
前記弾性ベルトは、前記装着状態において、前記装着者の脇部までしか引き延されないようになっていることを特徴とする請求項１に記載の腰用サポータ。
【請求項３】
前記基端部は、前記装着状態において、丹田の左右両端部に配置されることを特徴とする請求項１又は２に記載の腰用サポータ。
【請求項４】
前記弾性ベルトは、前記基端部側において上下方向に複数本に分かれており、この複数本は前記先端部において一体とされていることを特徴とする請求項１乃至３のいずれかに記載の腰用サポータ。
【発明の詳細な説明】
【技術分野】
【０００１】
本発明は、腰痛の緩和や予防のために装着される腰用サポータに関する。
【背景技術】
【０００２】
背骨（脊柱）は背筋群の筋力だけなく、腹筋群の働きによる腹腔内圧の上昇により、腹部側からも安定性を得ている。そのため腹筋群の機能低下により腹腔内圧が低下すると、姿勢が崩れやすくなり、腰に負担がかかったり、背骨（脊柱）の安定性を得るために背筋群が過度に働き、背筋群にストレスがかかるため、腰痛の原因となったりする。
このようなことから、従来、腹圧を高めて腹部を硬い状態にし、腹圧を上昇させ背骨（脊柱）の安定を得ることで、腰の腰痛を防止するようにした腰用サポータがある。
【０００３】
特許文献１は、このような腰用サポータであり、その図２に示されるように、ベルト本体１２と、ベルト本体１２の中央部に縫合されたバックベルト体１４を有している。
この腰用サポータを使用する際は、図５及び図６に示されるように、ベルト本体１２を腹部周りに巻き付け、そして、ベルト本体１２とバックベルト体１４との縫合部を腹部に配置し、その後、バックベルト体１４を腹部側から背面側に向かって引き延ばし、バックベルト体１４の両端部を背面に定着するようにしている。これにより、ベルト本体１２とバックベルト体１４との縫合部の領域、即ち腹部を背面側に押さえつけて、腹圧を高めている。
【先行技術文献】
【特許文献】
【０００４】
【特許文献１】特許第３７０４６０６号公報
【発明の概要】
【発明が解決しようとする課題】
【０００５】
ところで、特許文献１の腰用サポータは、高い腹圧を得るために、バックベルト体１４の引き締め力を強くする必要があり、このため、バックベルト体１４を所要の太さと長さに形成して、その両端部を背骨あたりまで延ばせるようにしている。
しかし、このような背骨あたりまで延ばすようにしたバックベルト体１４は、腹部を背骨側に押さえつけるだけではなく、腹部周りの様々な部分を締め付ける結果となり、強く締め付けた割には効きが悪いという問題があった。そして、このような強い引き締めは、体を動かす作業の邪魔になるし、また、気持ち悪さを招く場合もある。
本発明は、以上の事情に鑑み、身体を締付け過ぎることなく、効率よく腹圧を高めて、腰痛を緩和ないし予防できる腰用サポータを提供することを目的とする。
【課題を解決するための手段】
【０００６】
上記課題は、本発明によれば、全体が帯状であって、装着者の腹部周りに巻き付けられ、その両端部どうしが着脱自在であるベルト体と、前記巻き付けられた装着状態において、前記ベルト体の腹部に対応した位置を基端部として両脇側に向けて引き延ばされる弾性部材であり、その先端部が前記ベルト体に着脱自在である一対の弾性ベルトと、を備え、前記基端部は、前記装着状態において、丹田に配置されるようになっており、前記一対の弾性ベルトの夫々は、前記装着状態において、前記基端部から近い脇側であって、かつ、斜め上方に、引き延ばされるようになっている腰用サポータにより解決される。
【０００７】
このため、ベルト体を腹部周りに巻き付けて固定してから、丹田に対応した位置を基端部として一対の弾性ベルトを背中側に向けて引き延し、丹田（換言すれば、臍の下の腹直筋）を背面側に押さえつけることができる。なお、このように腹側を基端部として引き延す弾性ベルトは、背面を基端部として腹側に向かって引き延す一般的なベルトに比べて、丹田を直接的に押さえて、腹圧をより高められると考えられる。
さらに、この腹部周りに巻き付けられた装着状態において、一対の弾性ベルトの夫々は、装着状態において、基端部から近い脇側であって、かつ、斜め上方に、引き延ばされるようになっている。そうすると、この弾性ベルトの引き延ばされる方向は、丹田の左右にある腹斜筋に概ね沿うようになる（なお、当該引き延される方向と腹斜筋とは完全に方向が一致する必要はなく、その方向性が概ね合っていればよい）。そして、腹斜筋は丹田（臍の下の腹直筋）を押さえる機能を発揮する腹筋であるため、丹田をより効率よく押さえることができる。従って、例えば弾性ベルトの幅を大きくしたり、背骨付近まで引き延したりして、身体を強く引き締めるようなことをしなくても、腹圧を相当に高めて腰痛を緩和ないし予防することができる。
【０００８】
また、好ましくは、前記弾性ベルトは、前記装着状態において、前記装着者の脇部までしか引き延されないようになっていることを特徴とする。
従って、弾性ベルトを比較的、楽に引き延してベルト体に止めることができる。即ち、本発明の丹田を押さえつけるための弾性ベルトは、腹側から背中側に向かって引き延すタイプであるため、背中側から腹側に向かって引き延す一般的なサポータと比べて、弾性ベルトを引き延す際に力を入れ難いという課題がある。しかし、脇部までであれば、比較的に弾性ベルトを引き延ばし易く、当該課題を解決することができる。
【０００９】
また、好ましくは、前記基端部は、前記装着状態において、丹田の左右両端部に配置可能とされていることを特徴とする。
従って、当該左右の基端部どうしの間のベルト体の部分が丹田の幅に対応するため、丹田を有効に押さえつけることができる。即ち、弾性ベルトは腹斜筋に沿って斜めに配置されるため、例えば基端部を丹田の中央に配置してしまうと、丹田を斜めに押さえつける事態になって、効率よく押さえつけられないし、また、基端部を丹田よりも脇側にしてしまうと、今度は腹斜筋をしっかり押さえつけられなくなる。従って、基端部は丹田の左右両端部であることが好ましい。
【００１０】
また、好ましくは、前記弾性ベルトは、前記基端部側において上下方向に複数本に分かれており、この複数本は前記先端部において一体とされていることを特徴とする。
従って、弾性ベルトが一本の幅の大きい帯状であると、引き延す角度の変化に伴って縒れるため、身体から大きく浮いた部分が生じて、腹斜筋を押さえる力が弱まってしまうが、弾性ベルトが複数本に分かれているので、多少角度が変わっても、身体から大きく浮くような縒れを防止して、腹斜筋を有効に押さえつけることができる。従って、人によって腹斜筋の角度が多少異なり、或いは、腕を腹斜筋に沿わせて動かすことが困難な場合、所定の範囲で弾性ベルトを引き延す角度に違いがあっても、それに対応したサポータを提供することができる。また、先端部は一体とされているため、引き延す際は一箇所を把持して引き延せばよい。
【発明の効果】
【００１１】
以上、本発明によれば、身体を締付け過ぎることなく、効率よく腹圧を高めて、腰痛を緩和ないし予防できる腰用サポータを提供することができる。
【図面の簡単な説明】
【００１２】
【図１】上半身を側面から視認した図。
【図２】腹筋を示す図であり、図２（Ａ）は腹横筋を、図２（Ｂ）は腹直筋と腹斜筋を示す図。尚、図２（Ａ）では脊柱との位置関係が分かるように、左半分の腹横筋を省略して図示している。
【図３】本発明の好ましい実施形態である腰用サポータの正面図。
【図４】図３のＡ-Ａ端面図。
【図５】図３の腰用サポータの背面図。
【図６】図３の腰用サポータを装着した使用状態図であり、図６（Ａ）は装着者の腹部を、図６（Ｂ）は装着者の背中を、図６（Ｃ）は脇部を斜めから、それぞれ視認した図。
【図７】図３の腰用サポータを背中にあてがった図。
【図８】図３の腰用サポータを腹部周りに巻いた図。
【図９】図３の腰用サポータの弾性ベルトを、両脇側であって、かつ、斜め上方に引き延ばした図。
【図１０】本発明の実施形態に係る腰用サポータの変形例。
【発明を実施するための形態】
【００１３】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
また、以下の説明において、「内面」は腰用サポータを装着した状態における身体側の面を、「外面」はその反対側の面を意味する。
【００１４】
本発明の実施形態に係る腰用サポータは、腰痛緩和ベルト、腰痛ベルトなどとも呼ばれ、腹圧を高めて脊柱の正しい位置を安定させるためのものである。
この腰用サポータは、身体を締め付け過ぎることなく、腰痛を緩和なし予防可能であることから、体を動かす者に好適に使用され、本実施形態の場合、女性の体型を考慮して形成されている。なお、本実施形態では例示として体を動かす女性を対象にしているが、本発明の腰用サポータは、寝たきりの病人、男性、等の使用を除外するものではない。
【００１５】
この腰用サポータの構成を詳しく説明する前に、腹圧を高めるための基本的な考え方について、図１及び図２を用いて説明する。
図１は上半身の側面図であり、破線で示すように通常の脊柱２は湾曲し、腹部３の背面８側にある脊柱２の部分２ａは腹部３側に湾曲をしている。この腹部３に対応した脊柱の部分２ａが腹部３側に湾曲し過ぎないように、腹圧を高めるのが本腰用サポータである。
腹圧を高めるためには、図２（Ａ）に示すように、腹筋の中でも最も深部にあり、コルセットのように体に付いている腹横筋４を押さえつけるのが効果的である。しかし、この腹横筋４は面積の大きな腹筋であって、これを押さえつけると装着者の動きを妨げ過ぎる恐れがあるし、また、この腹横筋４の外側には、図２（Ｂ）に示すように腹直筋５と腹斜筋６があるため、図２の腹横筋４を効果的に押し付けるのも困難である。
そこで、本発明では、腹横筋４の外側にある腹直筋５と腹斜筋６の方を利用して、腹圧を高めるようにした。即ち、腹直筋５の内、湾曲した脊柱２の部分２ａの前方にある部分７（臍の少し下辺り）を、図１の矢印Ｆのように、背中８側に押さえつけるようにした。本実施形態では、臍の少し下辺りの腹直筋５の部分７を「丹田」と位置づけている。
【００１６】
次に、本実施形態の腰用サポータについて、図３乃至図６を用いて詳細に説明する。
これらの図の腰用サポータ１０は、全体が一方向に長い帯状であり、腹部周りに巻き付けることができるベルト体１２と、このベルト体１２に接続された弾性部材からなる一対の弾性ベルト３０，３０とを有している。なお、図３及び図５に示すように、正面視及び背面視において、腰用サポータ１０は後述する雄部材２１を除いて左右対称である。
ベルト体１２は、長手方向に伸縮可能であると共に弾性力を発揮する弾性部材（本実施形態の場合はパワーネット）が基材とされている。そして、ベルト体１２は、長手方向（図３の左右方向）に引き延すことで、丹田のある腹部周りに巻くことができる長さＬを有し、図６に示すように、その両端部１４，１５どうしが丹田の位置で着脱自在とされている。
【００１７】
ベルト体１２の両端部１４，１５は、腹部周りに巻いた装着状態において、端部１４と端部１５を重ねて止着できるように、複数の突起を有する雄部材２１と、繊維質材から形成された雌部材２２とからなる面ファスナーが設けられている。
図３及び図５に示すように、雄部材２１は、ベルト体１２の端部１４の内面に接続された舌片状であって、その一部２１ａがベルト体１２の縁から突出して、端部１４と端部１５とを剥がす際の摘みになっている。雌部材２２は、端部１４とは反対側の端部１５の外面に面状に設けられている。このベルト本体１２の面ファスナーが接続された部分（端部１４，１５、等）は伸縮性を発揮しない部分である。
【００１８】
図のベルト体１２の場合、両端部１４，１５がそれぞれ上下２本に分かれており、ウエスト側に巻かれるベルト上部１２−１に比べて、ヒップ側に巻かれるベルト下部１２−２の方が長くなっている。これにより、ウエストとヒップとの寸法差が大きい女性用であっても、体にフィットして巻き付けることができる。
ベルト上部１２?１の外面に設けられた雌部材２２は、端部１５だけではなく端部１４にも配設され、夫々、長手方向に沿って中央に向かって延伸し、その中央寄りの部分２３，２８が、図６に示すように、装着状態において脇部ＳＤもしくは脇部ＳＤより少し背面側に配置されるようになっている。これら中央寄りの部分２３，２８は、ベルト体１２の両端部１４，１５どうしを止着するものではなく、後述するように、弾性ベルト３０を止着するためのものである。
【００１９】
図３に示すように、ベルト下部１２−２の外面に設けられた雌部材２２も、端部１５だけではなく端部１４にも配設されている。この両端部１４，１５の雌部材２２は第１の雌部材２５であり、そこから間隔を空けて、中央寄りに第２の雌部材２６が配置されている。第２の雌部材２６は、引き延ばされていない弾性ベルト３０の端部３０ａを着脱可能に止着するためのものである。
ベルト上部１２−１にある中央寄りの雌部材の部分２３，２８と、ベルト下部１２−２にある第２の雌部材２６とは一体的に形成されており、雌部材の部分２３，２８は、第２の雌部材２６に比べて中央寄りに位置している。
なお、ベルト体１２の雌部材２２，２３，２５，２６，２８が配置されていない部分は、多数の小孔が開いたパワーネットが露出しており、これにより蒸れを防止している。
【００２０】
ベルト体１２の長手方向の中央部２９は、図６（Ｂ）に示すように、装着状態において、背中の幅方向の中央部に配置される部分である。中央部２９には、ベルト体１２の中で最も剛性の高い棒状のボーン１７が、上下方向に沿って、脊柱の左右に配置されるように形成されている。これにより、脊柱が左右方向に歪まないようにサポートできる。なお、ボーン１７は、左右方向には撓まないが、上下方向には撓むことが可能であり、背中の湾曲に沿って配置できる。
【００２１】
一対の弾性ベルト３０は、展開した図３の状態において、ベルト体１２と接続された接続部３３，３３から、それぞれ中央部２９に向かって延伸している。
この接続部３３，３３は、腹部周りに巻き付けられた図６の装着状態において、丹田７（図２参照）に対応した位置にあり、この接続部３３，３３を基端部として、そこから近い両脇側に向けて引き延ばされるようになっている。
好ましくは、２箇所の接続部（基端部）３３，３３は、装着状態において、図１の丹田７の左右両端部７ａ，７ｂにそれぞれ配置されるのがよく、これにより、図６の装着時における端部１４と端部１５とを重ねた際の長さＬ２を図１の丹田７の幅Ｗに合わせることができる。本実施形態では、ベルト体１２を腹部周りに巻いて、一方の端部１４の雄部材２１を、他方の端部１５の接続部３３の近くに止着した際、接続部３３，３３どうしの間が図１の丹田７の幅寸法Ｗに対応するようになっている。
【００２２】
なお、弾性ベルト３０の弾性力はベルト体１２の弾性力に比べて強く、例えば弾性ゴム等の弾性部材を利用できる。
また、弾性ベルト３０の先端部３０ａには面ファスナーの雄部材が設けられており、上述のように、引き延ばされていない図３の状態では、第２の雌部材２６に着脱可能とされている。
【００２３】
このような一対の弾性ベルト３０，３０は、図６に示すように、装着状態において、両脇側であって、かつ、斜め上方に（概ね図３の矢印Ｆ１の方向に）、それぞれ、弾性力に抗して引き延ばされるようになっており、これにより、図２（Ｂ）の丹田７の左右にある腹斜筋６に概ね沿って配置されることになる。
図３の弾性ベルト３０はベルト下部１２−２に縫合され、これにより斜め上方に引き延して、その端部３０ａをベルト上部１２−１に配設された雌部材の部分２３，２８に止着可能とされている。なお、本発明において、弾性ベルト３０の端部３０ａが止着される場所は、ベルト上部１２−１に限られるものではなく、腕を縮めるようにして上にあげる動作が困難な使用者については、例えばベルト上部１２−１とベルト下部１２−２との中間領域ＡＲであっても構わない。
【００２４】
そして、このように使用者によって弾性ベルト３０を引き延ばす方向が異なることから、当該引き延す方向が変わったとしても、弾性ベルト３０が大きく縒れて身体から浮いてしまうことを防止するため、図３及び図４に示すように、弾性ベルト３０は、接続部（基端部）３３側において上下方向に複数本に分かれている。図の場合、弾性ベルト３０は２本に分かれて、上側弾性ベルト３６及び下側弾性ベルト３７を有し、上側弾性ベルト３６と下側弾性ベルト３７とは先端部３０ａにおいて一体となっている。また、本実施形態の弾性ベルト３０は、一本のベルトを先端部３０ａで角度を付けて折り返すことで、接続部（基端部）３３側で２本に分かれるようにしている。なお、弾性ベルト３０の当該分かれた本数は２本に限られず、３本以上であっても構わない。
【００２５】
図の上側弾性ベルト３６と下側弾性ベルト３７は同様の幅Ｗ１であるが、幅を変えても構わない。
上側弾性ベルト３６はベルト下部１２−２の長手方向に略沿って延伸している。これに対し、下側弾性ベルト３７はベルト上部１２−１に向かって延伸するように、ベルト下部１２−２の長手方向に対して角度θ（概ね１５〜４０度）を付けて延伸している。なお、この上側弾性ベルト３６と下側弾性ベルト３７の角度については、本実施形態の変形例である図１０に示すように、ベルト下部１２−２の長手方向に対してより大きな角度θ１（概ね３０〜４５度）を付けて、当初から先端部３０ａが、ベルト上部１２−１の面ファスナーの雌部材２２の内、中央寄りの部分２３，２８を向いていてもよい。
【００２６】
そして、図３の弾性ベルト３０は、図６に示すように、装着状態において、装着者の脇部ＳＤまでしか引き延されない弾性力及び長さとされている。これにより、腹側から背面側であって、かつ、斜め上方に引き延す弾性ベルト３０であって、装着者にとって引き延す際に力を入れ難くても、弾性ベルト３０を比較的、楽に引き延してベルト体１２に止着することができる。また、弾性ベルト３０を背中まで延ばして止着すると、腹部の略全周を締付けて、腹部以外の余計な部位まで締め付ける結果になってしまうが、そのようなこともなく、効率的に腹圧を高めることができる。
【００２７】
次に、上述した腰用ベルト１０の使用方法について、主に図７〜図９を用いて説明する。
腰用ベルト１０を使用する際は、先ず、ベルト上部１２−１の両端部１４，１５を把持し、そして、図７に示すように、弾性ベルト３０が見える面を外側にして、ボーン１７，１７が脊柱ＢＮの左右両脇に配置されるようにし、ベルト体１２の長手方向の中央部２９を背中にあてがう。
次いで、ベルト上部１２−１を引き延ばし、図８のように、ウエストＡＢに巻きつけて、端部１４を端部１５に止着して、ベルト体１２が落ちないようにする。その後、ベルト下部１２−２を引き延ばし、その端部１４，１５を臍の直下（丹田）に配置するように巻きつけ、端部１４に設けられた雄部材２１を端部１５の雌部材２２の上に止着する。そうすると、丹田の領域には、端部１４，１５どうしが重なって伸縮性の略無い部分が配置される。この際、弾性ベルト３０の左側の基端部（接続部）３３−１が丹田の左側の端部に、右側の基端部（接続部）３３−２が丹田の右側の端部に配置されるのが好ましい。
次いで、図９に示すように、左右の弾性ベルト３０，３０の端部３０ａ，３０ａを把持して、これを近い脇側であって、斜め上方に、弾性力に抗して引き延ばして、図６に示すように、端部３０ａ，３０ａをベルト上部１２−１に設けられた雌部材２３，２８に止着する。
【００２８】
本実施形態の腰用ベルト１０は以上のように構成され、このため、腹部周り全体をきつく締め付けることなく、丹田（腹直筋）を押さえる腹斜筋の機能を利用して、丹田をより効率よく押さえることができる。
試験によれば、本実施形態の腰用ベルト１０を用いた場合の衣服圧は以下の表１の通りであった。
【表１】
2015139605.tif 000003
【００２９】
また、比較のため、装着状態におけるベルト体の背面に弾性ベルトを縫合して、背面側から腹部側に弾性ベルトを引き延ばし、そして、その両端部を丹田の中央部に止着させる腰用ベルト（以下、「試験用ベルト」という）を用いた試験も行った。その結果の衣服圧は以下の表２の通りであった。
【表２】
2015139605.tif 000004
このことから、本実施形態の腰用ベルト１０は、試験用ベルトに比べて、丹田を押す押圧力がいずれの位置でも強く、特に、丹田の左右両端部における押圧力が顕著に強かった。
しかも、本実施形態の腰用ベルト１０は、背骨付近まで巻かれていないので、余計なところを締め付け過ぎることもない。
【００３０】
ところで、本発明は上記実施形態に限定されず、種々の変形例を採用できる。
例えば、図３では、両端部１４，１５どうしを着脱可能に接続するための部材は面ファスナーであったが、本発明はこれに限られるものではなく、例えば、スナップボタンなどであってもよい。
また、図６に示すように、端部１４を端部１５の外面に止着しているが、端部１５を端部１４の外面に止着する構成にしてもよい。
また、図３の弾性ベルト３０は接続部３３側で２本に分かれているが、本発明これに限られず、一本のベルトであっても構わない。
【符号の説明】
【００３１】
１０・・・腰用ベルト、１２・・・ベルト体、１２−１・・・ベルト上部、１２−２・・・ベルト下部、１４，１５・・・ベルト体の両端部、３０・・・弾性ベルト、３０ａ・・・弾性ベルトの端部
【図１】
2015139605.tif 000005
【図２】
2015139605.tif 000006
【図３】
2015139605.tif 000007
【図４】
2015139605.tif 000008
【図５】
2015139605.tif 000009
【図６】
2015139605.tif 000010
【図７】
2015139605.tif 000011
【図８】
2015139605.tif 000012
【図９】
2015139605.tif 000013
【図１０】
2015139605.tif 000014